(57)【要約】      （修正有）【課題】外部応力が作用したり位置ずれが生じても短絡故障の発生を未然に防止できるシールドキャップ付電子部品を提供する。【解決手段】シールドキャップ付電子部品は、上面に電子部品素子１２の装着される回路基板１１と、回路基板１１の上面又は側面に接着又は固着され回路基板１１上の電子部品素子１２を覆うようにされたシールドキャップ本体１３とを有し、金属シールドキャップ本体１３の横方の対向側壁部分の少なくとも回路基板１１上の電子部品素子１２に近接する部分に、電子部品素子１２と接触を防止する切欠き部１５が設けられる。また、シールドキャップ付電子部品においては、金属シールドキャップ本体１３の横方の対向側壁部分は、回路基板１１上の電子部品素子１２の高さより高い位置で終端するように構成される。【選択図】図２
2006100841.tif 000002
【特許請求の範囲】
【請求項１】
上面に電子部品素子の装着される回路基板と、該回路基板の上面又は側面に接着又は固着され回路基板上の電子部品素子を覆うようにされた金属シールドキャップ本体とを有するシールドキャップ付電子部品において、金属シールドキャップ本体が天井壁部分と、回路基板の
上面又は側面に接着又は固着される前後の対向側壁部分と、回路基板から離間されて回路基板の上面との間に開口部を画定する横方の対向側壁部分とを備え、金属シールドキャップ本体の横方の対向側壁部分の少なくとも回路基板上の電子部品素子に近接する部分に、電子部品素子と接触を防止する切欠き部を設けたことを特徴とするシールドキャップ付電子部品。
【請求項２】
上面に電子部品素子の装着される回路基板と、該回路基板の上面又は側面に接着又は固着され回路基板上の電子部品素子を覆うようにされた金属シールドキャップ本体とを有するシールドキャップ付電子部品において、金属シールドキャップ本体が天井壁部分と、回路基板の上面又は側面に接着又は固着される前後の対向側壁部分と、回路基板から離間されて回路基板の上面との間に開口部を画定する横方の対向側壁部分とを備え、金属シールドキャップ本体の横方の対向側壁部分が、回路基板上の電子部品素子の高さより高い位置で終端していることを特徴とするシールドキャップ付電子部品。
【発明の詳細な説明】
【技術分野】
【０００１】
本発明は、ＶＣＯやアンテナスイッチモジュールなどのシールドキャップ付電子部品に関するものである。
【背景技術】
【０００２】
高周波で使用される配線基板には、電磁波ノイズを遮蔽したり、塔載素子を保護するために金属材料から成るシールドキャップが実装面上に装着される。この種の従来例としては図７に示すように、シールドキャップ１は周囲にフランジ１ａを備え、上面に電子部品素子２の装着された多層セラミック基板やプリント基板等の回路基板３の上面周縁部にフランジ１ａを接着又は固着するようにしたものが知られている（特許文献１、特許文献２参照）。
【０００３】
ところで、このような回路基板は、家電製品、無線通信機器及びコンピュータなどに用いられるＶＣＯなどのモジュール部品、ハイブリッドＩＣなどのパッケージに用いられ、これらの機器の小型化の傾向に則してますます小型化が進んでいる。しかし、上記のようなフランジ付きシールドキャップでは、電子部品素子２の装着される回路基板の上面の周囲縁部にフランジを固着するため、フランジの固着面積分だけ回路基板を大きく作らなければならず、回路基板の小型化の妨げとなっていた。言換えれば、上面積が同じであるとすると、回路基板の上面に装着できる電子部品素子２の数及び大きさが制限されることになる。
【０００４】
そこで、図８に示すように、フランジ無しの箱型のシールドキャップ４を用い、その周囲側部のうち対向した二つの側部の縁部４ａを電子部品素子５の装着される回路基板６の上面上に接着又は固着して回路基板６の上面のスペースの犠牲となる部分を少なくしたものが提案されてきた（特許文献３参照）。同様な観点で、図９には箱型のシールドキャップ７の周囲側部を回路基板８の側面に機械的嵌合手段９により固定するようにして回路基板８の上面のスペースの犠牲となる部分を少なくするようにした構成が示されている（特許文献４参照）。
【０００５】
【特許文献１】特開平４−２１６６５２号公報
【特許文献２】特公平８−  １５２３６号公報
【特許文献３】特開２００１−１５９７６号公報
【特許文献４】特開平５−２０６３０８号公報
【発明の開示】
【発明が解決しようとする課題】
【０００６】
図８及び図９に示すような構造のシールドキャップは、回路基板の上面のスペースの犠牲を低減できしかも電磁波ノイズの遮蔽や電子部品素子の保護の観点では十分であるが、金属シールドキャップは外部応力が作用すると変形し易すかったり、組立て工程において回路基板上に金属シールドキャップを位置決めする際に位置ずれが生じ易い。そのため金属シールドキャップが図１０及び図１１に示すように回路基板上の電子部品素子と接触して短絡故障を引き起こすという問題が生じ得る。
【０００７】
そこで、本発明は、このような問題を解決して、外部応力が作用したり位置ずれが生じても短絡故障の発生を未然に防止できるシールドキャップ付電子部品を提供することを目的としている。
【課題を解決するための手段】
【０００８】
上記の目的を達成するために、本発明の第１の発明によれば、上面に電子部品素子の装着される回路基板と、回路基板の上面又は側面に接着又は固着され回路基板上の電子部品素子を覆うようにされたシールドキャップ本体とを有するシールドキャップ付電子部品において、金属シールドキャップ本体が天井壁部分と、回路基板の上面又は側面に接着又は固着される前後の対向側壁部分と、回路基板から離間されて回路基板の上面との間に開口部を画定する横方の対向側壁部分とを備え、金属シールドキャップ本体の横方の対向側壁部分の少なくとも回路基板上の電子部品素子に近接する部分に、電子部品素子と接触を防止する切欠き部が設けられる。
【０００９】
また、本発明の第２の発明によれば、金属シールドキャップ本体の横方の対向側壁部分は、回路基板上の電子部品素子の高さより高い位置で終端される。
【発明の効果】
【００１０】
本発明の第１の発明によるシールドキャップ付電子部品においては、金属シールドキャップ本体が天井壁部分と、回路基板の上面又は側面に接着又は固着される前後の対向側壁部分と、回路基板から離間されて回路基板の上面との間に開口部を画定する横方の対向側壁部分とを備え、金属シールドキャップ本体の横方の対向側壁部分の少なくとも回路基板上の電子部品素子に近接する部分に、電子部品素子と接触を防止する切欠き部を設けているので、回路基板に対してシールドキャップ本体が位置ずれしたり外部応力によりシールドキャップ本体が変形しても、シールドキャップ本体と回路基板上の電子部品素子との接触は避けられ、短絡故障の発生を未然に防止することができる。
【００１１】
また、本発明の第２の発明によるシールドキャップ付電子部品においては、金属シールドキャップ本体の横方の対向側壁部分を、回路基板上の電子部品素子の高さより高い位置で終端しているので、同様に、回路基板に対してシールドキャップ本体が位置ずれしたり外部応力によりシールドキャップ本体が変形しても、シールドキャップ本体と回路基板上の電子部品素子との接触は避けられ、短絡故障の発生を未然に防止することができる。
【発明を実施するための最良の形態】
【００１２】
以下、添付図面の図１〜図６を参照して本発明の実施の形態について説明する。
【００１３】
図１〜図３には、本発明の一実施の形態を示し、１１は回路基板であり、その上面上には、例えばトランジスタ、ダイオード、チップ型コンデンサ、チップ型抵抗、チップ型コイル、ＩＣなどの複数個の電子部品素子１２が装着されている。回路基板１１は、誘電体セラミック材料、ガラス・セラミック材料、低温焼成セラミック材料やガラス・エポキシ複合材料等で構成されている。また１３はシールドキャップ本体であり、金属材料により箱型に構成され、天井壁部分１３ｏと、前後の対向側壁部分１３ａ、１３ｂと、横方の対向側壁部分と１３ｃ、１３ｄとを備えている。シールドキャップ本体１３の前後の対向側壁部分１３ａ、１３ｂは、横方の対向側壁部分１３ｃ、１３ｄより高さ方向に長くのび、従って、シールドキャップ本体１３は、前後の対向側壁部分１３ａ、１３ｂの先端部を例えば接着剤又はろう材或いは半田により回路基板１１の上面に接着又は固着することにより取り付けられ、回路基板１１の上面におけるそれぞれの電子部品素子１２を覆うように構成されている。シールドキャップ本体１３の横方の対向側壁部分１３ｃ、１３ｄは、図示したように、シールドキャップ本体１３を回路基板１１の上面に取り付けた際に、回路基板１１の上面との間に開口部１４が画定されている。これらの開口部１４は、シールドキャップ本体１３を回路基板１１の上面に固着する際の対流伝熱効果やガス抜け性を良好にしたり、シールドキャップ本体１３の接着又は固着時に発生する応力集中を緩和する働きをする。
【００１４】
このようにシールドキャップ本体１３の周縁部全体が回路基板１１の上面に接着又は固着されていないので、接着又は固着時に発生する外部応力を受けるとシールドキャップ本体１３は変形したり、ずれを生じ易く、回路基板１１の上面に装着した電子部品素子１２が金属シールドキャップ本体１３に接触して短絡する恐れがある。そこで、図２に示すように、シールドキャップ本体１３の横方の対向側壁部分１３ｃ、１３ｄにおいて、回路基板１１上の電子部品素子１２に隣接する部分に、電子部品素子１２との接触を防止する切欠き部１５が設けられている。
【００１５】
このように構成することにより、回路基板１１の上面に接着又は固着されるシールドキャップ本体１３が外部応力を受けて変形したりずれても、シールドキャップ本体１３は回路基板１１の上面上の電子部品素子１２と接触することがなく、シールドキャップ本体１３と電子部品素子１２との絶縁状態は保持される。
【００１６】
図４〜図６には本発明の別の実施の形態を示す。この実施の形態において、図１〜図３に示すものと対応した要素は同じ符号で示す。シールドキャップ本体１３の天井壁部分１３ｏ及び前後の対向側壁部分１３ａ、１３ｂは図１〜図３に示す実施の形態の場合と同様に構成されているが、シールドキャップ本体１３の横方の対向側壁部分１３ｃ、１３ｄは、それぞれ、図示したように、回路基板１１上の電子部品素子１２の高さより高い位置で終端するように寸法決めされている。
これにより、例えば外部応力の作用でシールドキャップ本体１３が変形したり、回路基板１１の上面に対して所定の位置からずれても、シールドキャップ本体１３の横方の対向側壁部分１３ｃ、１３ｄは電子部品素子１２と接触せず、電気的に絶縁された状態に保持される。
【００１７】
上記二つの実施の形態では、シールドキャップ本体１３の前後の対向側壁部分１３ａ、１３ｂが回路基板１１の上面に接着又は固着されている場合を例示したが、代りに回路基板１１の側面に接着又は固着されていても良く、その場合にも当然上記したものと同様な効果が得られる。
【図面の簡単な説明】
【００１８】
【図１】本発明によるシールドキャップ付電子部品の一実施の形態を示す要部の概略斜視図。
【図２】図１のシールドキャップ付電子部品の長手方向概略側面図。
【図３】図１のシールドキャップ付電子部品の概略横断面図。
【図４】本発明によるシールドキャップ付電子部品の別の実施の形態を示す要部の概略斜視図。
【図５】図４のシールドキャップ付電子部品の長手方向概略側面図。
【図６】図４のシールドキャップ付電子部品の概略横断面図。
【図７】従来のシールドキャップ付電子部品の一例を示す概略斜視図。
【図８】従来のシールドキャップ付電子部品の別の例を示す概略斜視図。
【図９】従来のシールドキャップ付電子部品の別の例を示す概略斜視図。
【図１０】従来のシールドキャップ付電子部品における短絡故障の発生状態を示す概略断面図。
【図１１】従来のシールドキャップ付電子部品における短絡故障の発生状態を示す概略断面図。
【符号の説明】
【００１９】
１１  ：回路基板
１２  ：電子部品素子
１３  ：シールドキャップ本体
１３ｃ、１３ｄ：シールドキャップ本体の横方の対向側壁部分
１４  ：開口部
１５  ：切欠き部
【図１】
2006100841.tif 000003
【図２】
2006100841.tif 000004
【図３】
2006100841.tif 000005
【図４】
2006100841.tif 000006
【図５】
2006100841.tif 000007
【図６】
2006100841.tif 000008
【図７】
2006100841.tif 000009
【図８】
2006100841.tif 000010
【図９】
2006100841.tif 000011
【図１０】
2006100841.tif 000012
【図１１】
2006100841.tif 000013